(57)【特許請求の範囲】
【請求項１】
横断面を扁平な形状とされた筒状部分を有し、上下方向に延びるベルト収容体と、このベルト収容体内に設けられた、軸方向が横方向に延びるとともに軸回りに回転可能とされたベルト収容体側巻き掛け部材と、前記ベルト収容体内に設けられた、軸方向が斜め方向に延びるとともに軸回りに回転可能とされており、かつ下方側の方が径が大きくなるテーパーをつけられている円筒状の方向変換用巻き掛け部材と、前記ベルト収容体内の前記筒状部分内に昇降可能に収容された錘体と、この錘体に設けられた錘体側巻き掛け部材と、一端部を前記錘体に連結されて該錘体を吊り下げており、かつ前記ベルト収容体側巻き掛け部材および前記錘体側巻き掛け部材に巻き掛けられることにより前記ベルト収容体内で２回以上、上下方向に折り返された上、前記方向変換用巻き掛け部材に巻き掛けられることにより上下方向から横方向へ方向を変換されて、他端側から前記ベルト収容体外に引き出されるベルトとを有してなる仕切装置。
【請求項２】
他の仕切装置の前記ベルト収容体に横方向から嵌合可能な凹部を備えた基台をさらに有し、この基台に前記ベルト収容体が立設されている請求項１記載の仕切装置。
【請求項３】
前記ベルトの先端部に取り付けられた留め具と、前記ベルト収容体に設けられた留め具収容凹部とを有し、前記ベルトが前記ベルト収容体内に完全に収容された状態では、前記留め具が前記留め具収容凹部内に収容される請求項１または２記載の仕切装置。
【請求項４】
前記留め具収容凹部は、両側方を開放されており、前記留め具が前記留め具収容凹部内に収容された状態において両側方から前記留め具を指で摘むことができるようになっている請求項３記載の仕切装置。
【発明の詳細な説明】
【０００１】
【発明の属する技術分野】
本発明は、使用時にはベルト収容体からベルトを引き出し、該ベルトを横方向に張り渡して所望の場所に仕切りを形成する一方、不使用時には前記ベルトを前記ベルト収容体内に収容することができる仕切装置に関する。
【０００２】
【従来の技術】
従来よりこの種の仕切装置は、例えば、銀行、店舗等において、現金出納機前の利用者が並ぶ場所を仕切ったり、顧客の通路を仕切る等のために使用されている。
【０００３】
従来のこの種の仕切装置は、ベルト収容体内にベルトを巻き取る回転体と、この回転体をベルトを巻き取る方向に付勢するばねとが収容されており、使用時には、ベルトを引っ張ると、回転体がばねの付勢方向と反対方向に回転してベルトをベルト収容体外に引き出すことができる一方、不使用時には、ベルトに対する拘束を解除すると、ばねの力により回転体がベルト巻き取り方向に自然に回転してベルトを巻き取り、ベルト収容体内に収容するようになっていた。
【０００４】
【発明が解決しようとする課題】
したがって、従来のこの種の仕切装置においては、
（ａ）構造が複雑となるとともに、比較的に高価なばねを使用する必要があるため、製造コストが高くなる、
（ｂ）ベルトの最大引き出し長さを長くするためには、ベルト収容体の径を太くせざるを得ず、ベルト収容体を薄型にすることは不可能である、
（ｃ）ベルト収容体の大きさを可能な限り小さくするためには、ベルト収容体を横断面円形にせざるを得ず、ベルト収容体の外周面に文字、記号等を描いても、視認性が悪い、
（ｄ）保管時にスペースを大きく必要とする、
等の問題があった。
【０００５】
本発明は、このような事情に鑑みてなされたもので、本発明の一つの目的は、構造が簡単で、製造コストを安くすることができる仕切装置を提供することにある。
【０００６】
本発明の他の目的は、ベルトの最大引き出し長さを長くし、なおかつベルト収容体を横断面形状が扁平な形状としてベルト収容体を薄型にすることができる仕切装置を提供することにある。
【０００７】
本発明の他の目的は、ベルト収容体の外面に文字、記号等を描いたときの視認性を良好にすることができる仕切装置を提供することにある。
【０００８】
本発明の他の目的は、保管時に必要なスペースを小さくすることができる仕切装置を提供することにある。
【０００９】
本発明のさらに他の目的は、以下の説明から明らかになろう。
【００１０】
【課題を解決するための手段】
本発明による仕切装置においては、上下方向に延びるベルト収容体内に錘体を昇降可能に収容する。また、前記ベルト収容体内にベルト収容体側巻き掛け部材を設ける一方、前記錘体に錘体側巻き掛け部材を設ける。ベルトの一端部を前記錘体に連結し該錘体を前記ベルトで吊り下げるとともに、前記ベルトを他端側から前記ベルト収容体外に引き出すようにする。ここにおいて、前記ベルトは、前記ベルト収容体側巻き掛け部材および前記錘体側巻き掛け部材に巻き掛けることにより、前記ベルト収容体内で２回以上、上下方向に折り返すようにする。
【００１１】
このような構成とすることにより、ベルトを引っ張ると、ベルトがベルト収容体外に引き出されて行き、それとともに錘体が重力に抗して上昇されて行く。また、ベルトに対する拘束を解除すると、重力により錘体が落下し、ベルトがベルト収容体内に引き込まれてベルト収容体内に収容される。
【００１２】
本発明による仕切装置においては、ベルトを巻き取る回転体および該回転体を付勢するばねが不要で、構造を簡単にすることができ、製造コストを安くすることができる。
【００１３】
また、ベルトがベルト収容体内で上下方向に折り返されているので、ベルトの最大引き出し長さを長くすることができる。そして、ベルト収容体内に収容されたベルトは、ベルト収容体内でそのまま垂れ下がらしておけばよいので、ベルト収容体をその横断面形状が扁平な形状としてベルト収容体を薄型にすることができる。
【００１４】
また、上述のようにベルト収容体をその横断面形状が扁平な形状とすることができるので、ベルト収容体の外面に文字、記号等を描いたとき、その視認性を非常に良好にすることができる。
【００１５】
また、ベルト収容体を基台上に立設し、この基台に、他の仕切装置のベルト収容体に横方向から嵌合可能な凹部を設けることにより、保管時には、複数個の仕切装置の基台を、下側の仕切装置のベルト収容体に上側の仕切装置の凹部を嵌合した状態で重ね合わせることにより、保管に必要なスペースを非常に小さくすることができる。
【００１６】
【発明の実施の形態】
以下、本発明を実施例に基づいて説明する。
【００１７】
【実施例】
図１〜１６は、本発明による仕切装置の一実施例を示す。このうち図１〜４は本実施例の全体図を示しており、金属製の円板に凹部１を設けてなる基台２には上下方向に延びるベルト収容体３が立設されている。このベルト収容体３は、筒状体４と上部材５とからなる。前記筒状体４は、図５に示されるように、その横断面形状を長円状の扁平な形状とされており、その上端付近の両側部に上下方向に延びる嵌合溝６（図３参照）を設けられている。図６および７は、前記上部材５を単独で示したものである。この上部材５はプラスチック製で、その上端部に蓋部７、両側部に嵌合溝６に対応する形状の嵌合突起８をそれぞれ一体的に設けられており、図３に示されるように、嵌合突起８を嵌合溝６に嵌合されることにより、筒状体４の上端部に装着されている。この装着状態において、蓋部７は筒状体４の上端開口を閉じている。図６および１１に示されるように、前記上部材５の一方の側部には、嵌合突起８を貫通するベルト引き出し口９が設けられている。このベルト引き出し口９は、上下方向に延びるスリット状をなしている。前記上部材５の下端側には、後述するベルト１０を上下方向に案内するガイド１１が一体的に設けられている。
【００１８】
前記上部材５のガイド１１付近には、巻き掛け部材軸１２が横方向に取り付けられており、この巻き掛け部材軸１２には円筒状のベルト収容体側巻き掛け部材１３が回転可能に嵌合されている。また、前記上部材５には、ベルト引き出し口９の側方に位置するようにして、巻き掛け部材軸１４が斜め方向（基台２が水平面に置かれたとき、水平方向及び鉛直方向に対して４５度をなす方向）に取り付けられており、この巻き掛け部材軸１４には下端側ほど径が大きくなるテーパーをつけられた円筒状の方向変換用巻き掛け部材１５が回転可能に嵌合されている。
【００１９】
前記ベルト収容体３内には、錘体１６がベルト収容体３に対して昇降可能に収容されている。図８は、前記錘体１６を単独で示したもので、この錘体１６の上端部付近には、ベルト取付軸１７および巻き掛け部材軸１８が横方向に取り付けられている。前記巻き掛け部材軸１８には、錘体側巻き掛け部材１９が回転可能に嵌合されている。図１０および１２によく示されるように、前記錘体１６には、布または軟質プラスチック等の柔軟な材料からなるベルト１０の一端部がベルト取付軸１７を介して連結されており、これにより錘体１６はベルト１０に吊り下げられている。前記ベルト１０は、図１１および１２に示されるように、ベルト収容体側巻き掛け部材１３および錘体側巻き掛け部材１９に巻き掛けられることにより、ベルト収容体３内で２回上下方向に折り返されている。図１３は、理解を容易にするために、ベルト１０の折り返し状態を簡略化して示した概念図である。前記錘体１６の底部には、ゴム等からなる緩衝材２３が取り付けられている。
【００２０】
前記ベルト１０は、ベルト収容体側巻き掛け部材１３および錘体側巻き掛け部材１９を経由した後、図９および１１に示されるように、方向変換用巻き掛け部材１５に巻き掛けられて上下方向から横方向に方向を変換された上、ベルト引き出し口９からベルト収容体３外に引き出されている。前記ベルトの他端部には、留め具２０が取り付けられており、この留め具２０はベルト引き出し口９を通過できない大きさとされている。
【００２１】
この仕切装置においては、留め具２０を持ってベルト１０を引っ張ると、図１および４に示されるようにベルト１０がベルト収容体３外に引き出されて行き、これとともに図４の一点鎖線で示されるように、錘体１６が重力に抗して上昇されて行く。したがって、留め具２０を適当な場所に留めることにより、該ベルト１０を横方向に張り渡して、所望の場所に仕切りを形成することができる。図１４は、ベルト収容体３に留め具係止手段２１を設けておき、１つの仕切装置の留め具２０を他の仕切装置の留め具係止具２１に係止することにより、ベルト１０を２つの仕切装置間に張り渡した例を示している。
【００２２】
使用終了後は、留め具２０ひいてはベルト１０に対する拘束を解除すると、重力によりベルト収容体３内において錘体１６が落下し、図４の実線位置で示されるように、留め具２０がベルト引き出し口９に当接するまでベルト１０がベルト収容体３内に引き込まれ、該ベルト収容体３内に収容される。
【００２３】
この仕切装置は、上述のように重力によりベルト１０を収納するようになっており、ベルト１０を巻き取る回転体および該回転体を付勢するばねが不要であるので、構造を簡単にすることができ、製造コストを安くすることができる。
【００２４】
また、ベルト１０がベルト収容体３内で上下方向に折り返されているので、ベルト１０の最大引き出し長さを長くすることができる。そして、ベルト収容体３内に収容されたベルト１０は、ベルト収容体３内でそのまま垂れ下がらしておけばよいので、ベルト収容体３を横断面扁平な形状としてベルト収容体３を薄型にすることができる。なお、本実施例では、ベルト１０がベルト収容体３内で２回のみ上下方向に折り返されているが、より多くの回数、ベルト１０がベルト収容体３内で上下方向に折り返されるようにしてもよい。
【００２５】
また、上述のようにベルト収容体３を横断面扁平な形状とすることができるので、ベルト収容体３の外面に文字、記号等２２を描いたとき、その視認性を非常に良好にすることができる。
【００２６】
また、図１５および１６に示されるように、保管時には、複数個の仕切装置の基台２を、下側の仕切装置のベルト収容体３に上側の仕切装置の凹部１を嵌合した状態で重ね合わせることにより、保管に必要なスペースを非常に小さくすることができる。
【００２７】
なお、方向変換用巻き掛け部材１５を全長に渡って径が均一な円筒状とすると、ベルト１０が引き出されたり、引き込まれたりするときに、下方に寄ってしまい、ベルト１０の引き出しおよび収納が円滑に行われなくなるが、本発明では、方向変換用巻き掛け部材１５が、下方側の方が径が大きくなるテーパーをつけられているので、そのような不都合を防止できる。
【００２８】
また、本実施例では、錘体１６の底部に緩衝材２３が取り付けられているので、錘体１６が急激に落下されてベルトが伸び、錘体１６の底部が基板２に衝突してしまっても、緩衝材２３によりその衝撃が吸収される。
【００２９】
また、本実施例では、錘体側巻き掛け部材１９が回転可能とされているが、ベルト１０とこの巻き掛け部材１９との間に作用する摩擦力を十分小さくできる場合は、この巻き掛け部材１９を回転可能としなくてもよい。
【００３０】
図１７〜２２は本発明の他の実施例を示している。本実施例においては、留め具２０は、そのどの部分も同一の横断面形をなす柱状体とされている。この留め具２０の横断面の両側辺２０ａ，２０ｂはベルト引き出し方向に末広がりとなるように傾斜されている。
【００３１】
上部材５の一方の側端部には、留め具収容凹部２５が設けられている。この留め具収容凹部２５は上方と下方のみを閉鎖されており、両側方（図１８における紙面と垂直な方向）は開放されている。図２０に示されるように、前記留め具収容凹部２５の底部には、ベルト引き出し口９が設けられている。また、前記上部材５の両面のうちの留め具収容凹部２５付近は、該凹部２５に近付くほど落ち込んで行く傾斜面５ａ，５ｂとされている。
【００３２】
前記上部材５の他方の側端部付近には、留め具２０の横断面形およびベルト１０に対応する横断面形を有する留め具係止穴２６が上下方向に設けられており、この留め具係止穴２６は上部材５の上面に開口している。他の構成は、前記実施例と同様である。
【００３３】
本実施例において、ベルト１０がベルト収容体３内に完全に収容された状態では、図２１の破線および図２２の実線で示されるように、留め具２０が留め具収容凹部２５内に収容された状態となり、留め具２０がベルト収容体３外に突出しないので、外観上の体裁が良くなる。
【００３４】
また、留め具収容凹部２５の両側方（図１８における紙面と垂直な方向）は開放されているので、留め具２０が留め具収容凹部２５内に収容された状態からベルト１０を引き出すときは、両側方から留め具２０を指で摘んでベルト１０を引き出すことができる。なお、この際、上部材５の両面に傾斜面５ａ，５ｂが設けられているとともに、留め具２０の横断面の両側辺２０ａ，２０ｂがベルト引き出し方向に末広がりとなるように傾斜されているので、留め具２０を指で非常に摘みやすい。
【００３５】
また、引き出した留め具２０は、図２１の実線および図２２の破線で示されるように、他の仕切装置の留め具係止穴２６に上方から嵌合することにより、体裁良く他の仕切装置に係止することができる。
【００３６】
【発明の効果】
以上のように本発明による仕切装置は、
（イ）構造を簡単にすることができ、製造コストを安くすることができる、
（ロ）ベルトの最大引き出し長さを長くすることができる、
（ハ）ベルト収容体を横断面扁平な形状としてベルト収容体を薄型にすることができる、
（ニ）ベルト収容体を横断面扁平な形状として、ベルト収容体の外面に文字、記号等を描いたとき、その視認性を非常に良好にすることができる、
（ホ）ベルト収容体を基台上に立設し、この基台に、他の仕切装置のベルト収容体に横方向から嵌合可能な凹部を設けることにより、不使用時には、複数個の仕切装置の基台を、下側の仕切装置のベルト収容体に上側の仕切装置の凹部を嵌合した状態で重ね合わせることによって、保管に必要なスペースを小さくすることができる、
等の優れた効果を得られるものである。
【図面の簡単な説明】
【図１】本発明による仕切装置の一実施例を示す正面図である。
【図２】前記実施例を示す平面図である。
【図３】前記実施例を示す左側面図である。
【図４】前記実施例を、ベルト収容体の筒状部および基台のみを断面して示す断面図である。
【図５】前記実施例のベルト収容体の筒状体（筒状部分）を示す拡大横断面図である。
【図６】前記実施例における上部材を示す正面図である。
【図７】前記実施例における上部材を示す底面図である。
【図８】前記実施例における錘体を示す正面図である。
【図９】図４の上部材付近を示す拡大断面図である。
【図１０】前記実施例におけるベルトと錘体との連結部を示す拡大正面図である。
【図１１】図９のＸＩ−ＸＩ線における断面図である。
【図１２】図１０のＸＩＩ−ＸＩＩ線における断面図である。
【図１３】本実施例におけるベルトの折り返し状態を簡略化して示す概念図である。
【図１４】前記実施例の２つの仕切装置間にベルトを張り渡した例を示す正面図である。
【図１５】前記実施例の仕切装置を多数重ね合わせた状態を示す側面図である。
【図１６】図１５に対応する平面図である。
【図１７】本発明による仕切装置の他の実施例におけるベルト収容体を示す平面図である。
【図１８】前記他の実施例のベルト収容体の上端部付近を示す正面図である。
【図１９】前記他の実施例のベルト収容体の上端部付近を示す側面図である。
【図２０】図１８のＸＸ−ＸＸ線における上部材５の断面図である。
【図２１】前記他の実施例において、留め具を他の仕切装置の留め具係止穴に嵌合した状態を示す平面図である。
【図２２】図２１に対応する正面図である。
【符号の説明】
１    凹部
２    基台
３    ベルト収容体
４    筒状体（ベルト収容体の筒状部分）
９    ベルト引き出し口
１０    ベルト
１２    巻き掛け部材軸
１３    ベルト収容体側巻き掛け部材
１４    巻き掛け部材軸
１５    方向変換用巻き掛け部材
１６    錘体
１９    錘体側巻き掛け部材
２０    留め具
２５    留め具収容凹部
【図１】
0003615652.tif 000002
【図２】
0003615652.tif 000003
【図３】
0003615652.tif 000004
【図４】
0003615652.tif 000005
【図５】
0003615652.tif 000006
【図６】
0003615652.tif 000007
【図７】
0003615652.tif 000008
【図８】
0003615652.tif 000009
【図９】
0003615652.tif 000010
【図１０】
0003615652.tif 000011
【図１１】
0003615652.tif 000012
【図１２】
0003615652.tif 000013
【図１３】
0003615652.tif 000014
【図１４】
0003615652.tif 000015
【図１５】
0003615652.tif 000016
【図１６】
0003615652.tif 000017
【図１７】
0003615652.tif 000018
【図１８】
0003615652.tif 000019
【図１９】
0003615652.tif 000020
【図２０】
0003615652.tif 000021
【図２１】
0003615652.tif 000022
【図２２】
0003615652.tif 000023